(57)【要約】      （修正有）【課題】仮設扉のような設備における可動部分の構成部材同士を枢着するための枢着止め具であるが、モンキーレンチやスパナなどの工具を全く必要せずに組立，分解できる枢着止め具を提供する。【解決手段】平行リンクを組合せて伸縮可能にした扉体の構成部材Ｌをその扉体枠や支柱に枢着するための止め具であって、その止め具が前記構成部材Ｌ又は扉体枠や支柱のいずれかに立設される軸ピン１と、その軸ピン１に密に遊嵌される環状体２と、前記ピン１と環状体２に挿入されて両者を結合するストッパピン３とを備えたこと。【選択図】図２
0003146691.tif 000002
【実用新案登録請求の範囲】
【請求項１】
平行リンクを組合せて伸縮可能にした扉体の構成部材をその扉体枠や支柱に枢着するための止め具であって、その止め具が前記構成部材又は扉体枠や支柱のいずれかに立設される軸ピンと、その軸ピンに密に遊嵌される環状体と、前記ピンと環状体に挿入されて両者を結合するストッパピンとを備えたことを特徴とする仮設ゲート扉などにおける構成部材の枢着止め具。
【請求項２】
軸ピンとそのピンに嵌められた環状体は、嵌合状態において両者を貫通する孔溝を、軸ピンに直交する向きで、かつ、当該軸ピンを挟むように形成し、この孔溝にストッパピンが挿入されるように形成した請求項１の枢着止め具。
【請求項３】
ストッパピンは、後端側を大略Ｕ状に曲げて先端側を２本の挿入部に形成した請求項１又は２の枢着止め具。
【請求項４】
ストッパピンの２本の挿入部のうち少なくとも１本を中高に浅く弯曲した形態（略への字状）にした請求項３の枢着止め具。
【請求項５】
環状体は軸ピンへの挿入位置決めのためにストッパ部を備えた請求項１〜４のいずれかの枢着止め具。
【考案の詳細な説明】
【技術分野】
【０００１】
本考案は工事現場などに設置される仮囲いに設けられる仮設ゲートの扉などにおける構成部材の枢着止め具に関する。
【背景技術】
【０００２】
工事現場などに設置される仮設ゲートの扉や仮設エレベータの扉など、仮設の設備は工事が完工すればその現場から撤去されるため、組立，分解自在の構造を具備している。
【０００３】
上記の組立，分解自在の構成のうち、静定的乃至固定的に設置される設備では、緊緩自在のボルト止めやクランプ，アンクランプ自在のクランプ金具止めなどにより、組立，分解自在の止め具として用いるのが一般的である。
【０００４】
しかし、仮設門扉や仮設エレベータの扉では、扉自体が開閉されるため、扉構成部材が変形乃至変位できるように止める必要がある。例えば、複数本の平行リンクを交叉的に組合せて枢着し構成リンクの伸縮変形によって開閉態様をとる仮設扉では、複数の平行リンクを交叉的に組合せ枢着した扉体を、例えば門扉の支柱に伸縮変形でき、しかも、組立，分解自在に枢着する必要がある。このために従来用いられていた枢着止め具は、例えば、ボルトとワッシャとＵナットやロックナット付きのボルト，ナットなどを用いた止め金具であった。
【０００５】
枢着止め具がボルト，ワッシャ，Ｕナットやロックナット付のボルトナットなどであると、構成部材と支柱の止め付けによる組立時、或は、その止め付けの分解時のいずれにおいても、ナットとボルトの螺合状態をモンキーレンチ等の工具を用いて締付けたり緩めたりしなければならず、至って手間がかかる作業を不可欠としている。
【考案の開示】
【考案が解決しようとする課題】
【０００６】
そこで本考案は、仮設扉のような設備における可動部分の構成部材同士を枢着するための枢着止め具であるが、モンキーレンチやスパナなどの工具を全く必要せずに組立，分解できる枢着止め具を提供することを課題とする。
【課題を解決するための手段】
【０００７】
上記課題を解決することを目的としてなされた本考案枢着止め具の構成は、平行リンクを組合せて伸縮可能にした扉体の構成部材をその扉体枠や支柱に枢着するための止め具であって、その止め具が前記構成部材又は扉体枠や支柱のいずれかに立設される軸ピンと、その軸ピンに密に遊嵌される環状体と、前記ピンと環状体に挿入されて両者を結合するストッパピンとを備えたことを特徴とするものである。
【０００８】
本考案止め具は、上記構成において、軸ピンとそのピンに嵌められた環状体は、嵌合状態において両者を貫通する孔溝を、軸ピンに直交する向きで、かつ、当該軸ピンを挟むように形成し、この孔溝にストッパピンが挿入されるように形成されている。
【０００９】
上記ストッパピンは、後端側を大略Ｕ状に曲げて先端側を２本の挿入部に形成したものである。Ｕ状部を指が入る大きさにすると、抜去時の指掛けになる。そして、望ましくは、ストッパピンの２本の挿入部のうち少なくとも１本を中高に浅く弯曲した形態（略への字状）にすることにより、挿入したとき孔溝に圧接するようにする。また、環状体は軸ピンへの挿入位置決めのためにストッパ部を備えた構成としてもよい。ストッパ部としては、軸ピンに被る爪状体や帽子体であればよい
【考案の効果】
【００１０】
本考案では、平行リンクを交叉的に組合せて伸縮可能に枢着した扉体の構成部材を扉体枠や支柱に枢着するための止め具を、前記構成部材又は扉枠や支柱のいずれかに立設される軸ピンとその軸ピンに密に遊嵌される環状体と前記ピンと環状体に挿入されて両者を結合するストッパピンとを備えて構成したので、組立，分解にスパナ等の工具を全く用いることなく、仮設扉体の構成部材と扉体枠や支柱とを枢着して可動的に連結することができる。また、回転工具を用いないので、組立，分解ともに手間がかからない。
【考案を実施するための最良の形態】
【００１１】
次に本考案止め具の実施の形態例について、図を参照して説明する。図１は本考案止め具の一例の使用状態の要部において、上半側を断面にした正面図、図２は図１の止め具の側断面図、図３は本考案止め具の別例の側断面図、図４は本考案止め具を用いた仮設門扉の一例の正面図である。
【００１２】
図４は仮設ゲート扉の一例で、複数本の平行リンクによる構成部材Ｌを交叉させて配置し、交叉部材Ｌ同士の交点をピン枢着することにより、図４の左右方向において伸縮するように変形して閉扉状態と開扉状態を作るようにした２枚の扉体Ld１とLd2が形成されている。
【００１３】
左右に並べた２枚の扉体Ld1とLd2は、柱状の中間の扉体枠Dfcと同じく柱状の左右の扉体枠Dfとの上，下部に設けられた取付け用ブラケットBu，Bbの穴又は長穴（溝）に可動的に枢着される点は従来品と同様であるが、ここでは図１〜図３に示す本考案止め具PSを用いる点で異なる。そこで本考案止め具PSの例について、図１〜図３を参照して以下に説明する。
【００１４】
図１において、本考案止め具PSは、軸ピン１とこのピン１に密に遊嵌される環状体２と、前記ピン１に形成された上下の溝1b，1cと、前記環状体２にその直径方向に沿って形成した２本の孔2b，2cとが合体して形成する孔溝（後述する）と、この孔溝に挿入されて両部材１，２を結合するストッパピン３とから形成されている。
【００１５】
軸ピン１は、枢着軸（回転動作の中心）となるピンで、図２の右端に部材取付用ビス穴1aを有すると共に、図２の左端部近くに、図の例では、上下面に断面が大略半円状をなす溝1b，1cが当該ピン１に直交する向きで形成されている。
【００１６】
一方、該軸ピン１に密に遊嵌される環状体２は、中央に前記軸ピン１を密に遊嵌できる内径の穴2aを有すると共に、前記軸ピン１の溝1b，1cと一体になって前記の孔溝として協働する断面円形の２本の孔2b，2cが、この環状体２の直径上の断面を貫通するように設けられている。
【００１７】
３は、上記軸ピン１と、このピン１にその溝1b，1cと貫通孔2b，2cとが合致して孔溝を形成するように嵌められ環状体２に対し、前記貫通孔2b，2cから挿入される脚状をなす２本の挿入部（脚）3a，3bを有し、かつ、その脚3a，3bの反対側が大略Ｕ字状乃至開いた略Ｏ状に曲げられたストッパピンである。3cはピン３の曲げられた部分に形成した指掛け部である。
【００１８】
上記の構成を備えた軸ピン１、環状体２、ストッパピン３による本考案止め具PSは、図２に例示したように、軸ピン１を止めビスＢによってブラケットBu（Bb）に立設し、立設した軸ピン１に、扉体LD1又はLD2の構成部材（リンク）Ｌを、当該部材Ｌの穴４において挿入し、挿入してから環状体２を軸ピン１の左側（図２参照）から当該ピン１に嵌め、環状体２の貫通孔2b，2cと前記ピン１の溝1b，1cを一致させたところで、ストッパピン３の２本の脚による挿入部3a，3bを、前記孔溝1b，1cと2b，2cによる孔に挿入すれば、環状体２は軸ピン１から抜去不能となる。ここで、前記挿入部3aは長さ方向に沿って中高状（略への字状）に形成され、その中高部が環状体の貫通孔2bに圧設，保持されるため、振動などでストッパピン３が抜けることはない。
【００１９】
なお、軸ピン１に対する環状体２の挿入位置決めのため、環状体２に、図３に例示するようなキャップ状のストッパ部2dを設けるとよい。このストッパ部2dは図３の例のようにキャップ状断面のほか、Ｌ型の爪状断面であってもよい。
【００２０】
この結果、扉体Ld1，Ld2の構成部材群Ｌにおいて、上下のブラケットBu，Bbに枢着しなければならない所定の構成部材Ｌをボルトやナット、或は、そのための回転工具を全く用いることなく、いわばワンタッチ操作で枢着することができる。また、分解時は、ストッパピン３の指掛けに人指し指を入れてこのピン３を引抜き、環状体２を軸ピン１から外せば構成部材Ｌを容易に上，下のブラケットBu（Bb）から取外すことができる。
【産業上の利用可能性】
【００２１】
本考案は以上の通りであって、平行リンクを組合せて伸縮可能にした扉体の構成部材を扉枠や支柱に枢着するための止め具を、前記構成部材又は扉枠や支柱のいずれかに立設される軸ピンとその軸ピンに密に遊嵌される環状体と前記ピンと環状態に挿入されて両者を結合するストッパピンとを備えて構成したので、組立，分解にスパナ等の工具を全く用いることなく、仮設扉体の構成部材と扉枠や支柱とを枢着して可動的に連結することができる。また、回転工具を用いないので、組立，分解ともに手間がかからない。
【図面の簡単な説明】
【００２２】
【図１】本考案止め具の一例の使用状態の要部において、上半側を断面にした正面図。
【図２】図１の止め具の側断面図。
【図３】本考案止め具の別例の側断面図。
【図４】本考案止め具を用いた仮設門扉の一例の正面図。
【符号の説明】
【００２３】
１    軸ピン
２    環状体
３    ストッパピン
【図１】
0003146691.tif 000003
【図２】
0003146691.tif 000004
【図３】
0003146691.tif 000005
【図４】
0003146691.tif 000006